(57)【特許請求の範囲】
【請求項１】
壁面等の固定側面に取り付ける固定部と家具等の被支持体の取り付ける支持部とを備えて一体で断面Ｌ字型に形成され、
前記固定側面及び被支持体間に位置する断面Ｌ字型の外側面で前記固定部に、前記固定側面に粘着させる接合層を海綿状のクッション層を挟んで設け、
前記断面Ｌ字型の内側面で前記支持部に、前記被支持体に粘着させる接合層を海綿状のクッション層を挟んで設け、
前記支持部のクッション層により、該支持部と前記支持部の接合層との間隔を広げ、前記支持部の接合層の接合面の延長上に前記固定部の接合層が位置する、
ことを特徴とする耐震支持装具。
【請求項２】
請求項1記載の耐震支持装具であって、
前記接合層は、前記クッション層に対して結合度合いが相対的に高い中間層と該中間層の表面に接合する粘着性のある表層とを形成した少なくとも２層に形成され、
前記中間層は、アクリル系の材料で形成し、
前記表層は、ゴム系の材料で形成した、
ことを特徴とする耐震支持装具。
【請求項３】
請求項１又は２記載の耐震支持装具を用いた耐震支持方法であって、
前記断面Ｌ字型の内側面で前記支持部を、又は前記固定部の中間部に突設した支持部を、前記接合層により前記クッション層を挟んで前記家具等の被支持体の上部一側に粘着させると共に、前記断面Ｌ字型の外側面で前記固定部を、前記接合層により前記クッション層を挟んで前記固定側面に粘着させ、又は前記固定部の中間部に突設した支持部に対する反対側の面で前記固定部を、その中間部を亘るように延在させた前記接合層により前記クッション層を挟んで前記固定側面に粘着させ、
前記家具等の被支持体の底部の他側を、粘弾性体により床等の底部固定側面に粘着固定させる、
ことを特徴とする耐震支持方法。
【発明の詳細な説明】
【技術分野】
【０００１】
本発明は、家具などの耐震支持装具に関する。
【背景技術】
【０００２】
従来、家具などの耐震支持具として例えば、固定片及び取付片と、この固定片及び取付片間のコイル・スプリングとからなり、固定片を壁面に固定し、取付片を家具の天板に取付けるようにしたものがある。
【０００３】
地震時には、振動により家具に入力される動的荷重をコイル・スプリングが緩衝する。
【０００４】
しかし、固定片は、釘などにより壁に固定されるため、壁を傷つけ易いという問題がある。
【０００５】
【特許文献１】特開平１１−７５９７５号公報
【発明の開示】
【発明が解決しようとする課題】
【０００６】
解決しようとする問題は、壁等を傷つけ易いという点である。
【課題を解決するための手段】
【０００７】
本発明は、壁等を傷つけ難いようにするため、壁面等の固定側面に取り付ける固定部と家具等の被支持体の取り付ける支持部とを備えて一体で断面Ｌ字型に形成され、  前記固定側面及び被支持体間に位置する断面Ｌ字型の外側面で前記固定部に、前記固定側面に粘着させる接合層を海綿状のクッション層を挟んで設け、前記断面Ｌ字型の内側面で前記支持部に、前記被支持体に粘着させる接合層を海綿状のクッション層を挟んで設け、前記支持部のクッション層により、該支持部と前記支持部の接合層との間隔を広げ、前記支持部の接合層の接合面の延長上に前記固定部の接合層が位置することを特徴とする。
【発明の効果】
【０００８】
本発明は、壁面等の固定側面に取り付ける固定部と家具等の被支持体の取り付ける支持部とを備えて一体で断面Ｌ字型に形成され、  前記固定側面及び被支持体間に位置する断面Ｌ字型の外側面で前記固定部に、前記固定側面に粘着させる接合層を海綿状のクッション層を挟んで設け、前記断面Ｌ字型の内側面で前記支持部に、前記被支持体に粘着させる接合層を海綿状のクッション層を挟んで設け、前記支持部のクッション層により、該支持部と前記支持部の接合層との間隔を広げ、前記支持部の接合層の接合面の延長上に前記固定部の接合層が位置するため、粘着性のある接合層は、強い接合力を有すると共に、端からの引き剥がし力により比較的弱い力で剥がすことができ、固定側面或いは被支持体を傷つけるのを抑制することができる。
【発明を実施するための最良の形態】
【０００９】
壁等を傷つけ難いようにするという目的を、海綿状のクッション層に中間層を介して粘着性のある表層を設けて実現した。
【実施例１】
【００１０】
図１，図２は、本発明の実施例１に係る耐震支持装具の斜視図であり、それぞれ異なる方向から見た。
【００１１】
耐震支持装具１は、固定部３と支持部５とクッション層７，９とを備えている。
【００１２】
固定部３及び支持部５は、例えば樹脂により一体に形成され、全体が断面Ｌ字型に形成されている。固定部３及び支持部５間は、弾性変形部１１として形成されている。弾性変形部１１の内側１３は湾曲形成され、外側１５はほぼ直角に形成されている。従って、弾性変形部１１は、内側１３へ閉じる方向で弾性変形し易く、外側１５へ開く方向で相対的に弾性変形し難くなっている。
固定部３は、矩形板状に形成され、表面に補強用のリブ１６が設けられ、壁面等の固定側面に接合させるものである。支持部５は、台形の板状に形成され、表面に補強用のリブ１７，１８，１９，２１，２３が設けられ、家具等の被支持体に接合させるものである。
固定部３のリブ１６は、該固定部３側から弾性変形部１１の内側１３を渡り、支持部５側に至り、支持部５を横断するリブ２３に結合されている。
支持部５のリブ１７は、外側面において支持部５の先端縁部に沿って形成されている。リブ１８は、リブ１７と弾性変形部１１の外側１５とを結合している。
【００１３】
支持部５のリブ１９は、内側面において支持部１５の縁部全体に沿って形成され、リブ２３に結合されている。リブ２１は、支持部５の先端縁部からリブ２３まで延設され、三角形状の補強部２５を構成している。
【００１４】
固定部３及び支持部５には、取付面２７，２９が形成されている。取付面２９は、リブ１９，２１，２３で囲まれ、凹部状となっている。取付面２９も同様な凹部状となっている。従って、取付面２７，２９への取付に際し、クッション層７，９の位置決めを容易に行わせることができる。
【００１５】
クッション層７，９は、海綿状であり、例えばスポンジで矩形体状に形成され、前記取付面２７，２９にそれぞれアクリル系の接着剤等により強固に固定されている。
【００１６】
図３は、耐震支持装具により固定側面に対し被支持体を支持した状態を示す要部断面図である。
【００１７】
図３のように、各クッション層７，９の表面に、該クッション層７，９に対して結合度合いが相対的に高い中間層３５，３６とこの中間層３５，３６の表面に粘着性のある表層３７，３８を形成して少なくとも２層の接合層３９，４１を設けている。中間層３５，３６は、アクリル系の材料で形成され、表層３７，３８は、ゴム系の材料で形成されている。なお、中間層３５，３６は、クッション層７，９に対して結合度合いが相対的に高ければ良く、その限りにおいてゴム系、ビニル系、シリコン系の材料を用いることもできる。結合度合いを相対的に高くするための添加剤を加えることもできる。表層３７，３８は、壁等の固定側面及び中間層３５，３６に対して粘着性があれば良く、その限りにおいてアクリル系、ビニル系、シリコン系の材料を用いることもできる。粘着性を高くするための添加剤を加えることもできる。
【００１８】
中間層３５，３６に用いるアクリル系の材料としては、エチルアクリレート、ブチルアクリレート及び2−エチルヘキシルアクリレートなどを主モノマーとし、酢酸ビニル、アクリルニトリル、アクリルアミド、スチレン、メチルメタクリレート及びメチルアクリレートなどをコモノマー並びにメタクリル酸、アクリル酸、イタコン酸、ヒドロキシエチルメタクリレート、ヒドロキシプロピルメタクリレート、ジメチルアミノエチルメタクリレート、メチロールアクリルアミド、グリシジルメタクリレート及び無水マレイン酸などを官能基含有モノマーとしたこれら単体での重合物あるいは複合での共重合物など様々な組み合わせ及び重合度の高分子体を用いることができる。また必要に応じて老化防止剤、紫外線劣化防止剤を適宜加える事も可能である。但し、結合度合いが相対的に高ければこれらに限定されるものではない。
【００１９】
表層３７，３８に用いるゴム系の材料としては、天然ゴム、イソプレンゴム、スチレンブタジエンゴム、ブチルゴム、クロロプレンゴム、ニトリルゴム、ウレタンゴム、シリコンゴム、グラフトゴム、再生ゴム、スチレン・エチレン・ブタジエンブロック共重合体、スチレン・エチレン・プロピレンブロック共重合体、スチレン・ブタジエンブロック共重合体、スチレン・イソプレンブロック共重合体及びこれらの材料に粘着付与剤としてクマロン樹脂、フェノールテルペン系樹脂、石油系炭化水素樹脂、ロジン誘導体などを配合させたもの、可塑剤としてフタル酸誘導体、イソフタル酸誘導体、アジピン酸誘導体、マゼライン酸誘導体、セバシン酸誘導体、マレイン酸誘導体、フマル酸誘導体、トリメリット酸誘導体などを配合させたもの、軟化剤としてパラフィン系プロセスオイル、ナフテン系プロセスオイル、芳香族系プロセスオイルなどを配合させたものを用いることができる。またこれらの材料に必要に応じて老化防止剤、紫外線劣化防止剤を適宜加えることも可能である。さらにこれらの材料は、単独あるいは混合されたものの何れでも用いることができ、また粘着性があれば特に限定されるものではない。
接合層３９，４１は、３層以上の多層に形成することもできる。但し、クッション層７，９側は、海綿状のクッション層７，９に対して結合度合いが相対的に高い中間層３５，３６とし、表層３７，３８は、粘着性のある材料で形成することが必須である。
なお、表層３７，３８には、固定側面４３及び被支持体４５間への取り付け前において剥離紙が取り付けられている。
【００２０】
［取り付け］
耐震支持装具１により固定側面４３へ被支持体４５を支持させるときは、例えば、支持部５側の表層３８の剥離紙を剥がし、表層３８を被支持体４５の上面等へ粘着させる。次いで固定部３側の表層３７から剥離紙を剥がし、被支持体４５を固定側面４３側へ移動させ、表層３７を固定側面４３へ粘着させる。なお、取り付け順序は、特に限られない。
【００２１】
このような取り付けにより、表層３７，３８が固定側面４３、被支持体４５へ確実に粘着し、固定側面４３に対して被支持体４５を確実に支持することができる。
【００２２】
特に、中間層３５，３６を設けずにゴム系の表層３７，３８を、海綿状のクッション層７，９へ直接接合させるとき、表層３７，３８は粘着性材料の性質上クッション層７，９から剥がれ易くなる。これに対し、本発明実施例１では、アクリル系の中間層３５，３６を介してゴム系の表層３７，３８を接合させるため、表層３７，３８をクッション層７，９に対して確実に保持させることができ、剥がれ易いなどの不具合を抑制することができる。
【００２３】
このため、海綿状のクッション層７，９を用いながら、耐震支持装具１により固定側面４３に対し被支持体４５を確実に支持させることができる。
【００２４】
こうして、粘着性のある表層３７，３８は、強い接合力を有すると共に、端からの引き剥がし力により比較的弱い力で剥がすことができ、固定側面４３或いは被支持体４５を傷付けるのを抑制することができる。特に、固定側面４３に壁紙等が貼付されていても、壁紙をなるべく損傷しないようにして耐震支持装具１を取り外すことも可能であり、部屋の模様替え、引っ越し等があっても無理なく対応することができる。
【００２５】
なお、耐震支持装具１は、被支持体４５の上面側に取り付ける形態に限らず、側面側に取り付けることも可能である。この場合、装飾を施した耐震支持装具１を用いることもできる。或いは、耐震支持装具１に鉤部等を設けることで、他の物を吊り下げること等にも共用することができる。
【００２６】
［耐震作用］
地震時等には、固定側面４３から伝達される振動入力をクッション層７で吸収することができる。弾性変形部１１に入力された荷重は、その弾性変形によっても吸収することができる。
【００２７】
［取り外し］
取り外しに際しては、表層３７，３８の端から引き剥がすことで、固定側面４３、被支持体４５から耐震支持装具１を比較的容易に離脱させることが可能である。
【００２８】
さらに、図３のように、カッター４７，４９によりクッション層７，９を厚み方向の中間でカットすることで、被支持体４５を固定側面４３から容易に取り外すことができる。
【００２９】
固定側面４３及び被支持体４５に残ったクッション層７，９の一部は、剥がし液等を使用することで表層３７，３８の粘着力を弱め、丁寧に引き剥がすことができる。このように引き剥がすことで、固定側面４３、被支持体４５を極力傷つけないようにすることができる。この意味においても、クッション層７，９の存在は、有益である。この場合、クッション層７，９の厚みは、カッター４７，４９が入り込み易い程度にするのが良い。
【００３０】
［その他の使用例］
図４は、耐震支持具１のその他の使用例を示した概略側面図、図５は、比較例の概略側面図である。
【００３１】
図４のように、家具等の被支持体４５の底部をマット状或いはシート状の粘弾性体５１により床等の底部固定側面５３に粘着固定させた。被支持体４５の例えば上面には、固定側面４３との間に耐震支持具１が取り付けられている。
【００３２】
この図４に対し、図５は、耐震支持具１のみを取り付けたものである。図５の比較例では、被支持体４５に振動入力があると、被支持体４５の底部側が同図のように容易に移動し、耐震支持具１に引き剥がし力が働く。この引き剥がし力は、例えば、クッション層７側の表層３７の端部側に働くことになり、クッション層７を人手により積極的に引き剥がす形態とほぼ同じ状態となる。このため、比較例では、表層３７の粘着性を強くしなければ耐震支持具１が固定側面４３から離脱し易くなる。しかし、表層３７の粘着性は、固定側面４３の保護の観点からは一定以上に強くすることはできない。
【００３３】
これに対し、図４の使用例では、被支時体４５の底部が粘弾性体５１により支持され、容易には図５のように移動することがない。従って、クッション層７の表層３７に引き剥がし力が入力され難く、耐震支持具１による所期の支持状態を的確に維持させることができる。
【００３４】
［実施例１の効果］
本発明実施例１は、壁面等の固定側面４３に取り付ける固定部３と、家具等の被支持体４５に取り付ける支持部５とを備え、前記固定部３及び支持部５に海綿状のクッション層７，９を設けた耐震支持装具１であって、前記クッション層７，９の表面に、該クッション層７，９に対し結合度合いが相対的に高い中間層３５，３６と該中間層３５，３６の表面に接合する粘着性のある表層３７，３８とを形成して少なくとも２層の接合層３９，４１を設け、前記取り付けを前記粘着性のある表層３７，３８で行うため、クッション層７，９に対して中間層３５，３６を確実に結合させ、この中間層３５，３６に対して確実に結合させ得る表層３７，３８により固定側面４３及び被支持体４５に接合することができる。粘着性のある表層３７，３８は、強い接合力を有すると共に、端からの引き剥がし力により比較的弱い力で剥がすことができ、固定側面４３或いは被支持体４５の表面を傷付けるのを抑制することができる。
【００３５】
前記中間層３５，３６を、アクリル系の材料で形成し、前記表層３７，３８を、ゴム系の材料で形成したため、表層３７，３８は確実な粘着力を発揮することができると共に、中間層３５，３６を介して表層３７，３８を、クッション層７，９へ確実に保持させることができる。
【実施例２】
【００３６】
図６は、本発明の実施例２に係り、耐震支持具の取付状態の斜視図である。なお、基本的な構成は、実施例１と同様であり、同一又は対応する構成部分には同符号又は同符号にＡを付して説明する。
【００３７】
本実施例の耐震支持具１Ａは、被支持体４５の背面上部側に突縁部５５が上方へ突設されたものに適用した。固定部３Ａの中間部に支持部５Ａが一体に形成され、支持部５Ａの基部が弾性変形部１１Ａとなっている。クッション層９の厚み寸法は、突縁部５５の高さよりも大きくなっている。支持部５Ａには、把持部５７が形成され、耐震支持具１Ａの取り扱いを容易とし、且つ把持部５７がリブとして支持部５Ａを補強している。
【００３８】
そして、本実施例においても、２層の接合層３９，４１により実施例１と同様な作用効果を奏することができる。
【実施例３】
【００３９】
図７は、本発明の実施例３係り、耐震支持具の取付状態の斜視図である。なお、基本的な構成は、実施例２と同様であり、同一又は対応する構成部分には同符号又は同符号のＡをＢ代えて説明する。
【００４０】
本実施例の耐震支持具１Ｂは、被支持体４５の背面上部側に突縁部５９が後方へ突設されたものに適用した。固定部３Ｂの中間部に支持部５Ｂが一体に形成されている。支持部５Ｂ側にクッション層は設けられず、支持部５Ｂから固定部３Ｂの下部側に掛けて粘着層６１を形成した。
【００４１】
そして本実施例においても、固定部３Ｂ側の２層の接合層３９により実施例１と同様な効果を奏することができる。
［その他］
なお、本発明は、海面状のクッション層を固定側面や被支持体に結合する際の確実性を向上させるものであり、耐震支持具の形態そのものは、特に限定されない。従って、振動を吸収するためにコイルばね等を用いるものなど、全ての耐震支持具に適用することができる。
【図面の簡単な説明】
【００４２】
【図１】耐震支持装具の斜視図である（実施例１）。
【図２】耐震支持装具の斜視図である（実施例１）。
【図３】耐震支持装具により固定側面に対し被支持体を支持した状態を示す要部断面図である（実施例１）。
【図４】耐震支持具のその他の使用例を示した概略側面図である（実施例１）。
【図５】耐震支持具の使用例を示した概略側面図である（比較例）。
【図６】耐震支持具の取付状態の斜視図である（実施例２）。
【図７】耐震支持具の取付状態の斜視図である（実施例３）。
【符号の説明】
【００４３】
１，１Ａ，１Ｂ  耐震支持具    
３，３Ａ，３Ｂ  固定部  
５，５Ａ，５Ｂ  支持部
７，９  クッション層
３５，３６  中間層
３７，３８  表層
３９，４１  接合層
【図１】
0005348828.tif 000002
【図２】
0005348828.tif 000003
【図３】
0005348828.tif 000004
【図４】
0005348828.tif 000005
【図５】
0005348828.tif 000006
【図６】
0005348828.tif 000007
【図７】
0005348828.tif 000008